(57)【特許請求の範囲】
【請求項１】
キーボード及び演算処理部を有する本体側の筐体と液晶画面を有する表示部側の筐体とが、長辺側の一辺に設けたヒンジ部により開閉可能に接続されてなる携帯情報端末において、
前記本体側筐体の前記ヒンジ部に対向する側の端面の略中央に、一対のハンドストラップ取り付け穴が配設され、前記一対のハンドストラップ取り付け穴の各々が、前記端面の略中央を中心として前記長辺方向の対称位置に離間して配設されていることを特徴とする携帯情報端末。
【発明の詳細な説明】
【０００１】
【発明の属する技術分野】
本発明は、携帯情報端末に関し、特に、携帯情報端末の把持を補助するハンドストラップの取り付け構造に関する。
【０００２】
【従来の技術】
携帯電話機や携帯情報端末等のような携帯可能な小型の機器を使用する場合、通常、ハンドストラップを用いて機器の落下防止や把持の補助が行われる。例えば、携帯電話機の場合は、携帯電話機の上端部にハンドストラップが取り付けられ、ハンドストラップに手を通して携帯電話を把持することによって、ハンドストラップが手の甲側に位置されて締結状態となり、携帯電話機を保持する際の補助力となるため、確実に携帯電話機を保持することが可能となると共に、手を滑らせた場合であっても携帯電話機が落下しないように保護することができる。
【０００３】
上記携帯電話機は、薄型・軽量であり、手で把持しやすいように縦長の構造となっているため、ハンドストラップの取り付け位置に係わらず、左右どちらの手でもハンドストラップを利用することができる。すなわち、携帯電話機では横方向の長さが短く、手のひらサイズであるために、ハンドストラップを左右のどちらかの端部に設けた場合であってもどちらの手でもハンドストラップを利用することが可能である。
【０００４】
一方、近年の半導体デバイスの高集積化、液晶表示装置の薄型、軽量化により、携帯情報端末も年々小型化が進められており、机等の台座に置くことなく手で把持しながら操作することも可能となってきており、携帯電話機と同様に落下防止及び把持の補助のためにハンドストラップが取り付けられるようになってきている。
【０００５】
【発明が解決しようとする課題】
上述したような手のひらサイズの携帯電話機の場合には、機器の形状が縦長であるために、ハンドストラップの取り付け位置に係わらず左右どちらの手でも保持することができるが、携帯情報端末の場合は、操作用のキーボードやタッチパネルが必要となることから、携帯電話機に比べてかなり大きな寸法であり、かつ、横長の構造となるために、ハンドストラップの取り付け位置によっては操作性が著しく悪くなってしまう場合もある。
【０００６】
ここで、落下防止のためにハンドストラップに手を通して携帯情報端末を片手持ちする場合の問題点について、図２を参照して説明する。図２は、従来の携帯情報端末の構造を示す斜視図であり、（ａ）はハンドストラップ取り付け前の状態、（ｂ）は、ハンドストラップ取り付け後の状態を示す図である。
【０００７】
図２（ａ）に示すように、従来の携帯情報端末７は、タッチパネル４、液晶３等の表示部を備える表示部側の筐体１ｂとキーボード２や演算処理部を備える本体側の筐体１ａとが長辺側の一辺に設けたヒンジ部によって開閉可能に接続され、本体側の筐体１ａの左右どちらかの側面（図２では操作方向から見て右側）にハンドストラップ取り付け穴５が設けられている。そして、図２（ｂ）に示すように、ハンドストラップ取り付け穴５にハンドストラップ６が取り付けられて用いられる。
【０００８】
この場合、ハンドストラップ取り付け穴５が本体側の筐体１ａの右側に設けられているため、ハンドストラップ６に右手を通した上で本体側筐体１ａを片手持ちすることとなり、右手の自由がきかないためにタッチパネル４やキーボード２の入力操作を左手で行わなければならず、その結果、操作が非常に困難となってしまう。
【０００９】
また、逆に、ハンドストラップ取り付け穴５が本体側の筐体１ａの左側に設けられている場合は、右利きのユーザーにとっては都合はよいが左利きのユーザーにとってはやはり不便になってしまう。そこで、本体側筐体１ａの左右両方にハンドストラップ取り付け穴５を設け、ハンドストラップ６の取り付け位置を交換可能な構造とする方法もあるが、複数のユーザーが使用する場合にユーザー毎に取り付け位置を直す必要があり、好ましい方法とは言えない。
【００１０】
このように、携帯情報端末７を片手持ちした場合、右側にハンドストラップ６があると、右手で携帯情報端末７全体を支えることとなり、タッチパネルを左手でタッチせざるを得ず、利き手で把持する場合に操作性が損なわれるという問題があり、左右どちらの手で把持した場合であってもタッチパネル４やキーボード２の操作性を良好に保つことができるハンドストラップの取り付け構造が望まれている。
【００１１】
本発明は、上記問題点に鑑みてなされたものであって、その主たる目的は、利き手が左右どちらであっても、確実に携帯情報端末を保持し、かつ、操作性を良好に保つことができる携帯情報端末におけるハンドストラップの取り付け構造を提供することにある。
【００１２】
【問題を解決するための手段】
上記目的を達成するため、本発明の携帯情報端末は、キーボード及び演算処理部を有する本体側の筐体と液晶画面を有する表示部側の筐体とが、長辺側の一辺に設けたヒンジ部により開閉可能に接続されてなる携帯情報端末において、前記本体側筐体の前記ヒンジ部に対向する側の端面の略中央に、一対のハンドストラップ取り付け穴が配設され、前記一対のハンドストラップ取り付け穴の各々が、前記端面の略中央を中心として前記長辺方向の対称位置に離間して配設されているものである。
【００１６】
このように、本発明は、画面を表示するための液晶と、液晶の上からタッチすることによって座標入力させるためのタッチパネルと、文字を入力するためのキーボードとを備えた横長の携帯情報端末において、キーボードが設置される本体側の筐体の前面の略中央部に、左右対称となるようにハンドストラップ取り付け穴を設けることにより、利き手が左右どちらであっても、携帯情報端末を確実に保持し、かつ、利き手の自由度を確保することにより操作性を良好に保つことができる。
【００１７】
【発明の実施の形態】
本発明に係る携帯情報端末は、その好ましい一実施の形態において、キーボード２等の操作部及び演算処理部を有する本体側の筐体１ａと、液晶３及びタッチパネル４等を有する表示部側の筐体１ｂとが、長辺側の一辺に設けたヒンジ部により開閉可能に接続され、本体側の筐体１ａのヒンジ部に対向する側の端面（操作方向から見て前面）の略中央部に左右対称位置となるように、一対のハンドストラップ取り付け穴５が配設され、ハンドストラップ６が取り付けられているものであり、ハンドストラップ６を前面の略中央かつ左右対称位置に設けることにより、左右いずれの手を用いても本体側筐体１ａを確実に握持することができ、また、利き手の自由度を確保することによりキーボード２やタッチパネル４の操作性を向上させることができる。
【００１８】
【実施例】
上記した本発明の実施の形態についてさらに詳細に説明すべく、本発明の一実施例について図１を参照して説明する。図１は、本発明の一実施例に係る携帯情報端末の構造を示す斜視図であり、（ａ）は、ハンドストラップ取り付け前の状態、（ｂ）はハンドストラップ取り付け後の状態を示す図である。
【００１９】
図１（ａ）に示すように、本実施例の携帯情報端末７は、画面を表示するための液晶３と、液晶３の上からタッチすることによって座標入力させるためのタッチパネル４と、文字を入力するためのキーボード２と、演算処理部（図示せず）とを有し、キーボード２及び演算処理部を備える本体側の筐体１ａと液晶３及びタッチパネル４を備える表示部側の筐体１ｂとが、長辺側の一辺に設けたヒンジ機構によって開閉自在に接続されている。また、本体側の筐体１ａのヒンジ部に対向する端面（前面）の略中央部には、本実施例の特徴であるハンドストラップ取り付け穴５が左右対称となるように配設されている。
【００２０】
図１（ｂ）にハンドストラップ６を取り付けた状態の構造を示す。本体側の筐体１ａの略中央にハンドストラップ６を設けることによって、左右どちらの手をハンドストラップ６に通した場合でも、本体中央を中心に全体を持つことができ、確実に携帯情報端末７を把持することができる。
【００２１】
そして、利き手ではない方の手で携帯情報端末７を把持することによって、利き手の自由を確保することができ、利き手側でタッチパネル４やキーボード２を操作することができ、携帯情報端末７の操作性を良好に保つこともできる。
【００２２】
なお、ハンドストラップ取り付け穴５の位置は図１の構成に限定されず、本体側の筐体１ａの略中央部であって左右対称位置であれば良く、ハンドストラップ６で携帯情報端末７を吊した状態でバランスの取れる位置であることが好ましい。また、ハンドストラップ取り付け穴５の各々はユーザーが手を通しやすいように適度に離して設けることが好ましく、ユーザーの携帯情報端末７の持ち方、手のサイズ等を考慮して広狭の調整が可能な構造とすることもできる。
【００２３】
このように、本実施例の携帯情報端末のハンドストラップ取り付け構造によれば、ハンドストラップ６が本体側筐体１ａの前面の略中央部に左右対称となるように取り付けられているため、左右どちらの手を用いてもハンドストラップ６を用いて携帯情報端末７を把持することができ、利き手の自由を確保して操作性を良好に保つこともできる。
【００２４】
なお、上記実施例では、ハンドストラップ６を携帯情報端末７に設けた構造について記載したが、本発明は上記実施例に限定されるものではなく、携帯可能な機器であってハンドストラップ６で把持の補助が可能な任意の携帯機器に適用することができる。
【００２５】
【発明の効果】
以上説明したように、本発明の携帯情報端末のハンドストラップ取り付け構造によれば、左右のどちらが利き手であっても、携帯情報端末を確実に保持することができ、かつ、操作性を良好に保つことができるという効果を奏する。
【００２６】
その理由は、本発明では、ハンドストラップが本体側の筐体の略中央部に左右対称となるように設けられているため、左右どちらからアクセスした場合であっても同じように携帯情報端末を把持することができ、利き手の自由度を確保することができるからである。また、ハンドストラップ取り付け穴の間隔の広狭をユーザーの使用形態によって調整可能とすることにより、取扱性を更に向上させることができる。
【００２７】
すなわち、利き手が右手のユーザーを例にすると、左手を通して片手持ちが可能となり、右手が自由に使えるためタッチパネル４の操作が容易となり、手元から携帯情報端末が落下するのを防止できると共に、操作性の向上を図ることができる。
【図面の簡単な説明】
【図１】本発明の一実施例に係る携帯情報端末の構造を示す斜視図であり、（ａ）はハンドストラップ取り付け前の状態、（ｂ）はハンドストラップ取り付け後の状態を示す図である。
【図２】従来の携帯情報端末の構造を示す斜視図であり、（ａ）はハンドストラップ取り付け前の状態、（ｂ）はハンドストラップ取り付け後の状態を示す図である。
【符号の説明】
１ａ  本体側筐体
１ｂ  表示部側筐体
２  キーボード
３  液晶
４  タッチパネル
５  ハンドストラップ取り付け穴
６  ハンドストラップ
７  携帯情報端末
【図１】
0003655869.tif 000002
【図２】
0003655869.tif 000003